(57)【要約】  複数のパネルで構成された箱状の筐体（２）を備えた空気調和装置の室外ユニット（１）であって、筐体は、一方向に延びる角部（１４）に把持部（１３）を有し、把持部は、角部を構成するパネル（７）に設けられ、パネルの角部の端部から内側に折り曲がった形状で、且つ一方向に延びて形成されているものである。
2019176006.tif 000002
【特許請求の範囲】
【請求項１】
複数のパネルで構成された箱状の筐体を備えた空気調和装置の室外ユニットであって、  前記筐体は、一方向に延びる角部に把持部を有し、  前記把持部は、前記角部を構成する前記パネルに設けられ、前記パネルの前記角部の端部から内側に折り曲がった形状で、且つ前記一方向に延びて形成されている空気調和装置の室外ユニット。
【請求項２】
前記把持部は、人が指を曲げて物を掴む時の人の手の形に沿った形状を有する請求項１記載の空気調和装置の室外ユニット。
【請求項３】
前記把持部は、外表面に滑り止め構造を有する請求項１または請求項２記載の空気調和装置の室外ユニット。
【請求項４】
前記滑り止め構造は、滑り止め用の別体部品が貼り付けられるか、または表面処理が施されたものである請求項３記載の空気調和装置の室外ユニット。
【請求項５】
前記筐体は、前記複数のパネルとして、前記筐体の上面を構成するトップパネルと、前記筐体の底面を構成するベースパネルと、前記筐体の側面を構成するサイドパネルとを有し、前記サイドパネルは前記トップパネルと前記ベースパネルとの間に接続されるものであり、前記把持部が前記サイドパネルの前記角部に形成されている請求項１〜請求項４の何れか一項に記載の空気調和装置の室外ユニット。
【発明の詳細な説明】
【技術分野】
【０００１】  本発明は、空気調和装置の室外ユニットに関し、更に詳しくは、室外ユニットを運搬する際に用いられる取っ手構造に関するものである。
【背景技術】
【０００２】  従来の空気調和装置の室外ユニットは、前面に配置される吹き出しパネルおよびフロントパネルと、右サイドパネルと、左サイドパネルと、ベースパネルと、トップパネルとを有する（例えば、特許文献１参照）。特許文献１においてフロントパネルおよび右サイドパネルのそれぞれの高さ方向の中心部には、運搬時等に把持される取っ手が設けられている。左サイドパネルはＬ字状に構成され、格子状の線状部材と、Ｌ字形状の角部に上下方向に設けられた長尺の支柱とから構成されている。【０００３】  そして、特許文献１では、運搬時に左サイドパネルを取っ手代わりに把持することができるように、支柱を金属部材で構成するとともに、支柱に把持部を設けている。把持部は、支柱の高さ方向の一箇所の幅を狭くすることで形成され、握りやすい構成となっている。このように、運搬時に握りやすい把持部を設けることで、取っ手を片手で掴んだ上で、もう片方の手で把持部を把持することで、室外ユニットを安全に移動することを可能としている。
【先行技術文献】
【特許文献】
【０００４】
【特許文献１】特開２０１０−６５９５１号公報
【発明の概要】
【発明が解決しようとする課題】
【０００５】  特許文献１の空気調和装置の室外ユニットでは、複数のパネルに取っ手または把持部を設けているが、これらのそれぞれの高さ位置は決まっている。このため、様々なシチュエーションにおいて、取っ手を片方の手で掴んでその片方の手の位置が決まったところで、もう片方の手でも、決まった高さ位置の把持部を把持しなければならない。よって、運搬作業者の体勢が不安定になる可能性があり、重量物である空気調和装置の室外ユニットを運搬する際の安全性の面で改善が必要であった。【０００６】  本発明は、上述した課題を解決するためになされたもので、運搬作業者が室外ユニットを安全に運搬可能な空気調和装置の室外ユニットを提供することを目的とする。
【課題を解決するための手段】
【０００７】  本発明に係る空気調和装置の室外ユニットは、複数のパネルで構成された箱状の筐体を備えた空気調和装置の室外ユニットであって、筐体は、一方向に延びる角部に把持部を有し、把持部は、角部を構成するパネルに設けられ、パネルの角部の端部から内側に折り曲がった形状で、且つ一方向に延びて形成されているものである。
【発明の効果】
【０００８】  本発明に係わる空気調和装置の室外ユニットによれば、筐体の角部に一方向に渡って把持部を設けたので、運搬作業者が把持部を把持する場所を自由に選択でき、安全な運搬が可能である。
【図面の簡単な説明】
【０００９】
【図１】本発明の実施の形態１に係る空気調和装置の室外ユニットを前面側から見た斜視図である。
【図２】本発明の実施の形態１に係る空気調和装置の室外ユニットを背面側から見た斜視図である。
【図３】本発明の実施の形態１に係る空気調和装置の室外ユニットからトップパネルを取り外して上面側から見た内部構成図である。
【図４】本発明の実施の形態１に係る空気調和装置の室外ユニットを、サイドパネルの後方側から見た斜視図である。
【図５】本発明の実施の形態１に係る空気調和装置の室外ユニットのサイドパネルの斜視図である。
【図６】本発明の実施の形態１に係る空気調和装置の室外ユニットを運搬するにあたり、運搬作業者が把持部を把持する様子を示した図である。
【図７】本発明の実施の形態２に係る空気調和装置の室外ユニットの左側のサイドパネルを示す斜視図である。
【図８】本発明の実施の形態２に係る空気調和装置の室外ユニットを運搬するにあたり、運搬作業者が把持部を把持する様子を示した図である。
【図９】本発明の実施の形態３に係る空気調和装置の室外ユニットの滑り止めラバーの説明図である。
【発明を実施するための形態】
【００１０】  以下、図面を参照して、本発明の実施の形態について説明する。なお、各図中、同一または相当する部分には、同一符号を付して、その説明を適宜省略または簡略化する。また、各図に記載の構成について、その形状、大きさおよび配置等は、本発明の範囲内で適宜変更することができる。
【００１１】実施の形態１．  図１から図６は、本発明の実施の形態１を示す図である。  図１は、本発明の実施の形態１に係る空気調和装置の室外ユニットを前面側から見た斜視図である。図２は、本発明の実施の形態１に係る空気調和装置の室外ユニットを背面側から見た斜視図である。図３は、本発明の実施の形態１に係る空気調和装置の室外ユニットからトップパネルを取り外して上面側から見た内部構成図である。なお、以下の説明で用いる、前、後、右、左、手前、奥は、室外ユニットを前面側から見た場合の方向を意味している。
【００１２】  図１および図２に示されるように、本実施の形態１に係る室外ユニット１は、箱状の筐体２を備えている。筐体２の上面はトップパネル３で構成され、底面はベースパネル４で構成されている。筐体２の側面は、前面に配置された吹き出しパネル５およびフロントパネル５ａと、右側面から背面の一部にかけて配置されたサイドパネル６と、左側面に配置されたサイドパネル７と、背面に配置された外郭部ワイヤー８とを有する。外郭部ワイヤー８は、複数の線状部材が格子状に組み合わせされた構成を有する。
【００１３】  筐体２には、室外ユニット１を運搬する際に掴まれる樹脂製の嵌め込み式取っ手（以下、取っ手という）９ａ、取っ手９ｂおよび取っ手９ｃが設けられている。取っ手９ａはフロントパネル５ａの右端部に設けられている。取っ手９ｂは吹き出しパネル５の左角部に設けられている。取っ手９ｃはサイドパネル６の背面右側に設けられている。また、何れの取っ手も、高さ方向の中央付近に設けられている。
【００１４】  図３に示されるように、筐体２内にはＬ字型の熱交換器１０が配置されている。筐体２内には、熱交換器１０の他に、図示はしないが、圧縮機および膨張弁が配置されており、これらは冷媒配管で熱交換器１０に接続されて冷凍サイクルを構成している。
【００１５】  本実施の形態１は、サイドパネル７において高さ方向に延びる角部に、その角部の全体に渡って、運搬時に把持される把持部としての役割を設けることを特徴としている。以下、この特徴部分の構成について説明する。
【００１６】  図４は、本発明の実施の形態１に係る空気調和装置の室外ユニットを、サイドパネルの後方側から見た斜視図である。図５は、本発明の実施の形態１に係る空気調和装置の室外ユニットのサイドパネルの斜視図である。  サイドパネル７は板金パネルで構成され、サイドパネル本体１１と、サイドパネル本体１１の後方側の端部から垂直に左右方向の内側に延びる平面部１２とを備えている。サイドパネル本体１１と平面部１２とで高さ方向に延びる角部１４が形成されており、サイドパネル７は更に、角部１４を構成する平面部１２の端部から内側に折り曲がった形状の把持部１３を備えている。把持部１３は、角部１４に上下方向に渡って設けられている。
【００１７】  サイドパネル本体１１、平面部１２および把持部１３は、一枚の板金パネルで一体的に構成されており、平面部１２は折曲加工で形成され、把持部１３はカーリング加工で形成されている。サイドパネル本体１１、平面部１２および把持部１３は、人が指を曲げて物を掴む時の人の手の形に沿った形状となっており、把持部１３は曲線的に折り曲がった形状に形成されている。
【００１８】  また、サイドパネル本体１１には、熱交換器１０に向かう空気の通り道となる役割を持つ複数のサイドパネル穴１１ａが形成されている。そして、サイドパネル７は、図４に示すようにトップパネル３およびベースパネル４のそれぞれとネジ２４で接続されている。
【００１９】  図６は、本発明の実施の形態１に係る空気調和装置の室外ユニットを運搬するにあたり、運搬作業者が把持部を把持する様子を示した図である。  運搬作業者が把持部１３を把持する際には、図６に示すように、平面部１２に手のひらを当て、サイドパネル本体１１に親指を当てるとともに、親指以外の指を把持部１３に沿って曲げることで、手で把持部１３をしっかりと把持できる。
【００２０】  次に、室外ユニット１の運搬について説明する。  筐体２には、上述したように複数の取っ手９ａ〜９ｃおよび把持部１３が設けられており、これらを用いて室外ユニット１の運搬が行われる。室外ユニット１の運搬は、２人の運搬作業者で行われる。一方の運搬作業者は、右手で前面左側の取っ手９ｂを掴み、左手で把持部１３を把持する。把持部１３はサイドパネル７の角部１４に高さ方向に渡って設けられているため、運搬作業者は、把持部１３を把持する際、高さ方向の任意の位置で把持部１３を把持できる。他方の運搬作業者は、右手で背面右側の取っ手９ｃを掴み、左手で前面右側の取っ手９ａを掴む。以上のようにして２人の運搬作業者で室外ユニット１を支持して、筐体２を運搬する。
【００２１】  以上のように、本実施の形態１によれば、把持部１３が室外ユニット１における高さ方向に渡って形成されているため、運搬作業者が把持部１３を把持するにあたり、高さ方向の把持位置を、運搬状況に応じて自由に選択できる。その結果、安全な運搬が可能である。
【００２２】  また、サイドパネル本体１１、平面部１２および把持部１３は、人が指を曲げて物を掴む際の手の形に沿った形状をしている。このため、運搬作業者の手に加わる負担を軽減することが可能となり、運搬作業性の改善に繋がる。
【００２３】  また、サイドパネル７に把持部１３が一体的に形成されており、サイドパネル７は、筐体２を構成するパネル部材としてだけでなく、運搬時に把持される部材としての役割を有する。このため、把持部１３をサイドパネル７とは別体で構成する場合に比べて、製造コストを低減でき、安価な室外ユニットを提供できる。
【００２４】  また、把持部１３は、筐体２の強度向上にも寄与する。すなわち、把持部１３を備えず、サイドパネル本体１１と平面部１２とからなるＬ字型の板金パネルでサイドパネル７を構成した場合に比べて、把持部１３を備えたサイドパネル７は、筐体２における高さ方向の座屈に対する強度が増す。よって、筐体２の強度を向上させることが可能である。
【００２５】実施の形態２．  実施の形態２は、把持部１３を把持した際に、手を滑りにくくする構成に関する。以下、実施の形態２が実施の形態１と異なる構成を中心に説明する。
【００２６】  図７は、本発明の実施の形態２に係る空気調和装置の室外ユニットの左側のサイドパネルを示す斜視図である。  実施の形態２のサイドパネル７は、サイドパネル本体１１の後方側（図７の左側）の端部から把持部１３に渡って、高さ方向に渡って滑り止め構造２０が設けられている。滑り止め構造２０は、具体的には、滑り止め用の別体部品である滑り止めラバー２０ａがサイドパネル７に貼り付けられることで構成されている。サイドパネル本体１１において滑り止めラバー２０ａが貼り付けられる左側端部は、把持部１３を把持した際に、親指がかかる範囲を目安に設定される。
【００２７】  図８は、本発明の実施の形態２に係る空気調和装置の室外ユニットを運搬するにあたり、運搬作業者が把持部を把持する様子を示した図である。  図８に示されるように、把持部１３を把持する際に、運搬作業者の手が触れる範囲に滑り止め構造２０が設けられているため、運搬作業者の手から室外ユニット１が滑り落ちることを防止できる。なお、ここでは、運搬作業者の手が触れる範囲全体に滑り止め構造２０を設けた構成としたが、少なくとも把持部１３に設けられていれば、滑り止め効果を発揮することができる。
【００２８】  実施の形態２によれば、実施の形態１と同様の効果が得られるとともに、サイドパネル７に滑り止め構造２０を設けたことで、運搬作業者の手から室外ユニット１が滑り落ちることを防止できる。
【００２９】  なお、上記では、滑り止め構造２０が滑り止めラバー２０ａで構成されているとしたが、滑り止め機能を有する表面処理をサイドパネル７の外表面に施すことによって構成してもよい。この場合も、運搬作業者が室外ユニット１の運搬時に把持部１３を把持した際、運搬作業者の手から室外ユニット１が滑り落ちてしまうこと防止できる。
【００３０】実施の形態３．  実施の形態３は、実施の形態２の滑り止めラバー２０ａの形状を変更し、更なる運搬作業の安全性を向上する技術に関する。以下、実施の形態３が実施の形態２と異なる構成を中心に説明する。
【００３１】  実施の形態２の滑り止めラバー２０ａは、把持部１３側の端部が、把持部１３の先端と一致する構成であった。これに対し、実施の形態３の滑り止めラバー２０ｂは、次の図９に示す構成を有する。
【００３２】  図９は、本発明の実施の形態３に係る空気調和装置の室外ユニットの滑り止めラバーの説明図である。  実施の形態３の滑り止めラバー２０ｂは、図８に示した実施の形態２の滑り止めラバー２０ａに更に、把持部１３の先端側のエッジ１３ａを覆う切創防止部２０ｃを備えた構成を有する。滑り止めラバー２０ｂは、切創防止部２０ｃも含めて全体が同一素材で一体的に構成されている。切創防止部２０ｃは、具体的には例えば、滑り止めラバー２０ａの長さを延長して把持部１３の先端部で折り返し、把持部１３の裏側に貼付することで構成できる。
【００３３】  切創防止部２０ｃとサイドパネル７のサイドパネル本体１１との最短距離に相当する隙間２１は、想定される運搬作業者の手の指先の幅２２（以下、指先幅という）より十分に小さく設定されている。
【００３４】  実施の形態３によれば、実施の形態２と同様の効果が得られるとともに、滑り止めラバー２０ｂが切創防止部２０ｃを備えたことで、以下の効果が得られる。すなわち、運搬作業者が把持部１３を把持した際に、把持部１３のエッジ１３ａで指を切創することを防止でき、運搬作業の安全性を向上させることができる。
【００３５】  また、切創防止部２０ｃとサイドパネル７のサイドパネル本体１１との最短距離に相当する隙間２１を、指先幅２２よりも十分に小さく設定した。このため、運搬作業者の指先を隙間２１に挟み込んでしまうことを防止でき、運搬作業の安全性をより向上させることが可能となる。
【００３６】  上記各実施の形態では、把持部１３を設けるパネルをサイドパネル７とし、左奥側の角部に把持部１３を設けた構成を説明したが、把持部１３を設ける位置はこの位置に限られず、例えば左手前側の角部に設けてもよい。要するに、把持部１３は、筐体２において一方向に延びる角部に設けられればよい。また、各実施の形態では、把持部１３が一つの角部に形成されていたが、複数の角部に設けてもよい。
【符号の説明】
【００３７】  １  室外ユニット、２  筐体、３  トップパネル、４  ベースパネル、５  吹き出しパネル、５ａ  フロントパネル、６  サイドパネル、７  サイドパネル、８  外郭部ワイヤー、９ａ  取っ手、９ｂ  取っ手、９ｃ  取っ手、１０  熱交換器、１１  サイドパネル本体、１１ａ  サイドパネル穴、１２  平面部、１３  把持部、１３ａ  エッジ、１４  角部、２０  滑り止め構造、２０ａ  滑り止めラバー、２０ｂ  滑り止めラバー、２０ｃ  切創防止部、２１  隙間、２２  指先幅、２４  ネジ。
【図１】
2019176006.tif 000003
【図２】
2019176006.tif 000004
【図３】
2019176006.tif 000005
【図４】
2019176006.tif 000006
【図５】
2019176006.tif 000007
【図６】
2019176006.tif 000008
【図７】
2019176006.tif 000009
【図８】
2019176006.tif 000010
【図９】
2019176006.tif 000011
【手続補正書】
【提出日】令和2年7月1日(2020.7.1)
【手続補正１】
【補正対象書類名】明細書
【補正対象項目名】０００７
【補正方法】変更
【補正の内容】
【０００７】
本発明に係る空気調和装置の室外ユニットは、複数のパネルで構成された箱状の筐体を備えた空気調和装置の室外ユニットであって、筐体は、一方向に延びる角部に把持部を有し、把持部は、角部を構成するパネルに設けられ、パネルの角部の端部から内側に曲線的に折り曲がった曲面形状で、且つ一方向に延びて形成されているものである。
【手続補正２】
【補正対象書類名】特許請求の範囲
【補正対象項目名】全文
【補正方法】変更
【補正の内容】
【特許請求の範囲】
【請求項１】
複数のパネルで構成された箱状の筐体を備えた空気調和装置の室外ユニットであって、
前記筐体は、一方向に延びる角部に把持部を有し、
前記把持部は、前記角部を構成する前記パネルに設けられ、前記パネルの前記角部の端部から内側に曲線的に折り曲がった曲面形状で、且つ前記一方向に延びて形成されている空気調和装置の室外ユニット。
【請求項２】
前記把持部は、人が指を曲げて物を掴む時の人の手の形に沿った形状を有する請求項１記載の空気調和装置の室外ユニット。
【請求項３】
前記把持部は、外表面に滑り止め構造を有する請求項１または請求項２記載の空気調和装置の室外ユニット。
【請求項４】
前記滑り止め構造は、滑り止め用の別体部品が貼り付けられるか、または表面処理が施されたものである請求項３記載の空気調和装置の室外ユニット。
【請求項５】
前記筐体は、前記複数のパネルとして、前記筐体の上面を構成するトップパネルと、前記筐体の底面を構成するベースパネルと、前記筐体の側面を構成するサイドパネルとを有し、前記サイドパネルは前記トップパネルと前記ベースパネルとの間に接続されるものであり、前記把持部が前記サイドパネルの前記角部に形成されている請求項１〜請求項４の何れか一項に記載の空気調和装置の室外ユニット。
【国際調査報告】
2019176006.tif 000012
2019176006.tif 000013
2019176006.tif 000014
2019176006.tif 000015
2019176006.tif 000016
2019176006.tif 000017